(57)【要約】  【課題】  簡単な構成かつ低コストで、花粉症防止、脱臭、感染症予防の効果を有するマスク用フィルタ及びマスクを提供する。  【解決手段】  厚さ方向に開口する網目３が設けられた網状生地７に、粘性を有する薬剤２を塗布して、網状生地７に粘着力を付加し、粘着力が付加された網状生地７に活性炭粒子４を付着させてなるマスク用フィルタ１により、通気性を確保しつつ、効率よく花粉や異物を吸着して、花粉症防止や脱臭を実現する。更に、薬剤の有する抗菌作用や抗生作用などの効能により、感染症の予防に資することができる。【選択図】  図１
2006320491.tif 000002
【特許請求の範囲】
【請求項１】
厚さ方向に開口する網目が設けられた網状生地に、粘性を有する薬剤を塗布して、前記網状生地に粘着力を付加し、粘着力が付加された前記網状生地に活性炭粒子を付着させてなるマスク用フィルタ。
【請求項２】
前記網状生地を覆う外包材を備える請求項１記載のマスク用フィルタ。
【請求項３】
前記薬剤は、粘性添加剤に薬効成分が含浸されて構成される請求項１から２のいずれか記載のマスク用フィルタ。
【請求項４】
前記薬剤は、抗菌作用及び抗生作用の少なくとも一つを有する請求項１から３のいずれか記載のマスク用フィルタ。
【請求項５】
前記薬剤は、硫酸フラジオマイシン、塩酸ロメフロキサシン、リン酸オセルタミビルからなる群から一種又は二種以上選択される請求項４記載のマスク用フィルタ。
【請求項６】
前記活性炭粒子の平均粒径の長さは、前記網状生地の網目の対角線の長さよりも短い請求項１から５のいずれか記載のマスク用フィルタ。
【請求項７】
マスク本体と、
前記マスク本体に取り付けられた装着用バンドと、
前記マスク本体の使用時における側辺及び上辺の少なくとも一箇所に設けられた挿入ポケットと、
前記挿入ポケットに挿入された請求項１から５のいずれか記載のマスク用フィルタを備えるマスク。
【請求項８】
前記マスク用フィルタは、前記挿入ポケットに着脱自在に挿入される請求項７記載のマスク。
【発明の詳細な説明】
【技術分野】
【０００１】
本発明は、抗菌作用、防臭作用、及び花粉症予防の効果を有するマスク用フィルタ、およびマスクに関するものである。
【背景技術】
【０００２】
近年、花粉の飛散量の増加や、アレルギー体質への変化などにより、花粉症に悩まされる人は、増加の一方である。また、花粉症を引き起こす花粉も、従来の杉の花粉にヒノキの花粉なども加わり、従来の春先のみでなく、年間の大半を通じて花粉症が引き起こされている。
【０００３】
花粉症の対策としては、鼻炎や眼病などの症状に応じた服薬に加え、マスク装着による体内への花粉の侵入防止などがある。
【０００４】
また、花粉症に加え、細菌やウィルスにより引き起こされるインフルエンザなどの流行時においても、マスク装着での感染症予防が行われる。同様に、脱臭などの衛生効果のために、マスク装着が行われる。
【０００５】
特許文献１は、衛生効果を目的としたマスクを開示する。特許文献１に開示されるマスクは、繊維状活性炭シートをマスク内部に装着して脱臭効果と衛生効果を得る。特許文献２は、花粉症対策のために、活性炭層を有するフィルタを内部装着したマスクを開示する。活性炭層に花粉が付着することで、体内への花粉の侵入が防止される。同様に、特許文献３は、マスク本体に挿入部を設けて、この挿入部に活性炭を含むフィルタを挿入するマスクを開示する。特許文献３に開示されるマスクは、活性炭の吸着効果により、異物の混入が防止される。
【０００６】
図６は、従来の技術のマスクの斜視図である。
【０００７】
マスク３０は、マスク本体３１内部に、活性炭シート３２を装着しており、活性炭シート３２による脱臭効果が得られる。
【０００８】
しかしながら、従来の技術におけるマスクは、次の問題を有している。
【０００９】
特許文献１に開示されるマスクでは、シート状の活性炭繊維がマスク内部に挿入されているため、目詰まり状態となって空気の通路が少なくなり、装着者の呼吸が阻害される。
【００１０】
特許文献２、３に開示されるマスクでは、活性炭層がマスク内部に設けられているが、活性炭粒子がマスク内部で固定されておらず、こぼれたり、特定の箇所（マスク装着時は、特に底辺部分など）に偏ったりして、十分な花粉侵入防止効果や脱臭効果が得られない。また、使い勝手も悪く、使用耐久性も減じる問題を有する。
【００１１】
更に、特許文献１から３のマスクでは、活性炭による脱臭効果は得られても、抗菌効果などは得られず、感染症予防は不十分である。
【特許文献１】実開平１−１３８４６２号公報
【特許文献２】特開昭６１−１１５５７９号公報
【特許文献３】特開昭５２−１４９８９６号公報
【発明の開示】
【発明が解決しようとする課題】
【００１２】
そこで本発明は、簡単な構成かつ低コストで、花粉防止、脱臭、感染症予防の効果を有するマスク用フィルタ及びそれを用いたマスクを提供することを目的とする。
【課題を解決するための手段】
【００１３】
第１の発明に係るマスク用フィルタは、厚さ方向に開口する網目が設けられた網状生地に、粘性を有する薬剤を塗布して、網状生地に粘着力を付加し、粘着力が付加された網状生地に活性炭粒子を付着させてなる。
【００１４】
この構成により、通気性を確保しつつ、満遍なく付着した活性炭粒子が花粉や異物を効率よく吸着する。このため、高い花粉症予防や脱臭効果が得られる。
【００１５】
第２の発明に係るマスク用フィルタは、網状生地を覆う外包材を備える。
【００１６】
この構成により、活性炭粒子が露出することのないマスク用フィルタが得られるため、このマスク用フィルタをマスク本体に挿入する際の、活性炭粒子の脱落などが防止される。また使用者の使い勝手も向上する。
【００１７】
第３の発明に係るマスク用フィルタでは、薬剤は、粘性添加剤に薬効成分が含浸されて構成される。
【００１８】
この構成により、薬剤に容易に粘性を与えることができる。
【００１９】
第４の発明に係るマスク用フィルタでは、薬剤は、抗菌作用及び抗生作用の少なくとも一つを有する。
【００２０】
この構成により、薬剤の効能により、花粉症対策などに加えて感染症予防などの効果も得られる。更に、薬剤は活性炭粒子を付着させる成分に含まれるものであるから、余分な工程や材料を要さず、製造コストも低減する。
【００２１】
第５の発明に係るマスク用フィルタでは、薬剤は、硫酸フラジオマイシン、塩酸ロメフロキサシン、リン酸オセルタミビルからなる群から選択される。
【００２２】
この構成により、付着に必要な粘性と抗菌作用を両立させた成分を利用できる。
【００２３】
第６の発明に係るマスク用フィルタでは、活性炭粒子の平均粒径の長さは、網状生地の網目の対角線の長さよりも短い。
【００２４】
この構成により、活性炭粒子が、網目を塞がずに網状生地に付着する。このため、通気性が確保され、使用時の阻害のない呼吸が実現される。
【００２５】
第７の発明に係るマスクは、マスク本体と、マスク本体に取り付けられた装着用バンドと、マスク本体の使用時における側辺、及び上辺の少なくとも一箇所に設けられた挿入ポケットと、挿入ポケットに挿入された請求項１から５のいずれか記載のマスク用フィルタを備える。
【００２６】
この構成により、呼吸が阻害されること無く、花粉症対策や脱臭作用、あるいは感染症防止の作用を有するマスクが実現される。
【発明の効果】
【００２７】
本発明によれば、従来のシート状の活性炭と異なり、網目を塞がずに、広い範囲にわたって活性炭粒子が満遍なく付着される。このため、使用時の通気性と呼吸の容易性が確保され、花粉や異物の吸着効率が飛躍的に高まる。このため、使用時の呼吸の容易性を確保しつつ、高い花粉症予防、脱臭作用が得られる。
【００２８】
また、活性炭粒子を付着させる薬剤に抗菌作用などを有する薬剤が含まれることで、脱臭作用や花粉症予防に加えて、感染症予防などの効果も得られる。
【００２９】
更に、薬剤を含む薬剤が活性炭粒子の付着作用も有することで、余分な材料や構成が不要で、製造工程も簡略化され、マスク用フィルタの製造コストを低減できる。当然、マスク用フィルタを挿入したマスクの製造コストも低減される。
【発明を実施するための最良の形態】
【００３０】
以下、図面を参照しながら、本発明の実施の形態を説明する。
【００３１】
図１は、本発明の実施の形態におけるマスク用フィルタの正面図である。
【００３２】
網状生地７は、網目３をもった生地である。網状生地７は、木綿や絹などの天然繊維、化学繊維、合成繊維などの材質で形成され、網目状であるガーゼ生地などが好適に用いられる。また、後に述べる薬剤２があらかじめ塗布されたソフラチュール（登録商標）と呼ばれる網状の生地が用いられてもよい。
【００３３】
網状生地７の大きさは、任意であるが、マスクとしての使用に適した大きさであることが好ましい。例えば、一辺が数ｃｍから１０数ｃｍ程度の略方形（正方形、長方形などであり、角部が面取りされていても良い）が好適である。
【００３４】
網目３は、任意の長さの辺を有する略方形を有しており、使用に応じた大きさを有していることが好ましい。但し、網目３を形成する開口が非常に大きい場合には、花粉の侵入をたやすくし、非常に小さい場合には通気性を阻害するので、一辺の長さが数ｍｍ程度の開口による網目３であることが好ましい。
【００３５】
また、網状生地７は、その厚さ方向に開口する網目３が設けられて網状生地として構成される。網目３は、マトリックス状であってもよく、菱形状あるいはハニカム状であってもよい。
【００３６】
網状生地７には、粘性を有する薬剤２が塗布されている。薬剤２は、網状生地７の表面のみに塗布されていてもよく、網状生地７に浸透していても良い。例えば、薬剤２が液体状態であるときに、網状生地７を浸して薬剤２が浸透されればよい。
【００３７】
ここで、薬剤２の粘性は、粘性添加剤に薬効成分が含浸させられることで実現されても良い。ここで、人体への影響を与えにくい粘性添加剤が使用され、例えばワセリンなどが好適に用いられる。もちろん、粘性を有して、活性炭粒子４の付着効果を持っていれば、ワセリン以外の粘性添加剤であってもよい。
【００３８】
粘性を有する薬剤２は、抗菌作用や抗生作用を有する薬効成分が好適に用いられる。例えば、薬剤２として硫酸フラジオマイシンが好適に用いられる。硫酸フラジオマイシン以外でも、抗菌、抗生の効能を有する薬効成分が広く用いられる。例えば、塩酸ロメフロキサシン、及びリン酸オセルタミビルなどが用いられる。また、これらの薬剤の粉末が、ワセリンなどの粘性を有する粘性添加剤に、含浸された薬剤が用いられてもよい。
【００３９】
なお、薬剤２が抗菌作用や抗生作用を有することは、マスク用フィルタ１の抗菌作用や抗生作用を高める点で好ましいが、薬剤２が抗菌作用や抗生作用を有さなくてもよい。また、薬剤２は薬効成分を含まず、粘性を生み出す粘性添加剤のみで構成されてもよい。薬剤２の抗菌作用などが無くても、薬剤２に含まれる粘性により、薬剤２は、活性炭粒子４を網状生地７に付着させることができるからである。
【００４０】
活性炭粒子４は、粘性を有している薬剤２を介して、網状生地７に付着する。このとき、粘性を有する薬剤２によって、活性炭粒子４は、網状生地７に満遍なく付着する。更に、粘性を有する薬剤２を介して付着しているため、付着後の振動などによる付着外れや落下なども少ない。結果として、マスク用フィルタ１をマスクに挿入して、人体に装着した場合でも、使用中における、活性炭粒子４のマスクからの脱落や、マスク内部で偏在が防止される。このため、マスクの広い範囲にわたって、活性炭粒子４は、花粉のやその他の異物を満遍なく吸着する。結果として、このマスク用フィルタ１は、高い脱臭効果や花粉症予防効果を有する。
【００４１】
また、活性炭粒子４が付着する網状生地７は、網目３を持つ網状であるため、活性炭粒子４は、網目３部分には付着しない。このため、活性炭粒子４は、網目３を除いた生地部分に付着する（生地部分に付着した活性炭粒子４が、網目３部分にはみ出たり、網目３の切片に付着することはある）。このため、網目３の部分は、活性炭粒子４により塞がれることが非常に少ない。
【００４２】
このとき、活性炭粒子４の形状や大きさは任意でよいが、活性炭粒子４の平均粒径が、網目３の対角線の長さよりも短いことで、活性炭粒子４が、網目３をまたいで網状生地７に付着することが無くなり、網目３が塞がれる恐れがなくなる。このため、網目３の対角線の長さよりも短い平均粒径の活性炭粒子４が好適に用いられる。もちろん、活性炭粒子４の大きさを揃える必要はなく、網目３の対角線の長さよりも大きな平均粒径を有する活性炭粒子４が含まれていても実用上の問題はない。
【００４３】
このように、活性炭粒子４は、網目３を塞ぐことなく網状生地７に付着するため、マスク用フィルタ１は、網目３を介した気道Ａを確保する。このため、マスク用フィルタ１は、マスクに挿入された場合でも、網目３により活性炭粒子４の付着による気道閉塞を有さない。結果として、マスク装着者の呼吸に必要な通気性が確保され、阻害無い呼吸が実現される。更に、上述の通り、網状生地７の生地部分には、満遍なく（しかも落下しにくく）活性炭粒子４が付着しているので、マスク使用時の花粉や異物の吸着効率が高い。
【００４４】
すなわち、マスク用フィルタ１は、呼吸時の通気性を十分に確保しつつ、広い範囲に渡っての花粉や異物の吸着を行う。
【００４５】
また、粘性と抗菌作用を有する薬剤２が、活性炭粒子４の付着の接着剤となるため、薬剤２は、活性炭粒子の付着と抗菌作用との二重の作用を生じさせる。このため、余分な材料や工程が省略されて、製造コストも低減する。
【００４６】
図２は、本発明の実施の形態におけるマスク用フィルタの斜視図である。
【００４７】
図２は、図１で示されたマスク用フィルタ１を外包材６で覆ったマスク用フィルタ５を示している。
【００４８】
外包材６は、繊維質の生地などが用いられ、例えばガーゼなどが好適に用いられる。また、ガーゼ以外であっても、綿や絹などの、衛生面や通気性において悪影響のない生地であれば良い。また、外包材６は、一重、あるいは多重に覆われていてもいずれでも良い。
【００４９】
外包材６は、網状生地７をそっくり覆うことが好ましい。外包材６が網状生地７をそっくり覆うことで、マスク用フィルタ５をマスクに挿入する際に、網状生地７に付着した活性炭粒子４の脱落が防止される。もちろん、マスクに挿入された後での使用時においても、その活性炭粒子４の脱落が防止されて、使用耐久性が向上する。
【００５０】
また、網状生地７が外包材６で覆われることで、マスクへの挿入時に手に粘性添加材が付着したり、活性炭粒子４が付着したりすることも防止できる。すなわち、マスク用フィルタ１のマスクへの挿入時の不快感が防止される。
【００５１】
なお、図１に示されるマスク用フィルタ１、図２に示されるマスク用フィルタ５は、略方形の形状を有しているが、略楕円形や多角形などの、他の形状であっても良い。
【００５２】
また、マスク用フィルタ１、５は、マスク本体に挿入可能であるので、マスク用フィルタ１、５のみで製造され、あるいは販売されても良い。あるいは、マスク用フィルタ１、５が、取替え用として製造、販売されても良い。
【００５３】
また、網状生地７を二重、あるいはそれ以上にしたマスク用フィルタ１、５であっても良い。多重にされることで、活性炭粒子４の保持量と保持力が高まり、花粉や異物の吸着力が高まるからである。もちろん、通気性の確保とのバランスをもって、多重化されることが好適である。また、網状生地７が多重化される場合には、大きな網目３を有する網状生地７が多重化されることで、通気性の確保も好適に図られる。
【００５４】
次に、図３、図４を用いてマスク用フィルタ１、５が挿入されたマスクについて説明する。
【００５５】
図３、図４は、本発明の実施の形態におけるマスクの正面図である。
【００５６】
マスク１０は、マスク本体１１と、マスク本体１１の両端に取り付けられた装着バンド１２を有している。
【００５７】
また、マスク本体１１には、挿入ポケット１３が設けられている。挿入ポケット１３は、マスク本体１１の上辺、及び側辺の少なくとも一箇所に設けられる。図３、図４では、上辺に設けられる。
【００５８】
なお、挿入ポケット１３は、マスク本体１１を形成する生地を多重にすることで形成されても良い。例えば、長辺の長い生地が半分に折られて長方形となり、この長方形の３辺が縫製され、挿入ポケット１３が形成される。
【００５９】
挿入ポケット１３には、マスク用フィルタ１、５が挿入される。マスク用フィルタ１、５が挿入されることで、マスク１０を装着した使用者は、花粉症予防、あるいは防臭作用、あるいは抗菌作用を得る。
【００６０】
すなわち、マスク用フィルタ１、５は、粘性を有する薬剤２が塗布された網状生地７に、網目３を塞ぐことなくマスク用フィルタ全体に満遍なく付着された活性炭粒子４により、花粉や異物を効率よく吸着する。また、網目３により通気性も同時に確保され、呼吸が阻害されない。
【００６１】
加えて、薬剤２の抗菌作用などにより、感染症予防も得られる。このとき、種々の抗菌、抗生作用を有する薬剤２が用いられることで、感冒、風邪などの種々の感染症予防に対応したマスクが実現される。また、活性炭粒子４による花粉吸着効果とあいまって、せき、くしゃみ、のどの痛みなどの症状が防止され、高い病気予防効果が見込める。
【００６２】
発明者は、実際に硫酸フラジオマイシンの塗布された数ｍｍの網目を持つ網状生地に、１〜２ｍｍの顆粒状の活性炭粒子を付着させ、この網状生地をガーゼで包んだマスク用フィルタと、これをマスク本体に挿入したマスクを試作した。
【００６３】
発明者は、この試作したマスクを装着したところ、活性炭などの入っていない市販の衛生マスクと比べて遜色のない装着感と呼吸性を確認した。
【００６４】
図５は、マスクを装着した人物の斜視図である。
【００６５】
なお、図３、図４から明らかな通り、マスク本体１１とマスク用フィルタ１、５は、別々に製造、販売されて、使用者により組み合わされて使用されても良い。マスク用フィルタ１、５がマスク本体１１に対して着脱可能であることで、通常の衛生マスクと花粉症予防マスクとの使い分けがなされる。また、マスク用フィルタ１、５の使用による花粉吸着効果の減少に対応して、マスク用フィルタ１、５のみを取り替えることで、使用コスト低減も実現される。あるいは、マスク本体１１の損傷や汚損に伴い、マスク本体１１のみが取り替えられることでの、使用コスト低減が実現される。
【００６６】
もちろん、あらかじめ、マスク用フィルタ１、５が挿入されたマスク１０として製造、販売されても良い。
【００６７】
また、マスク本体１１や装着バンド１２は、図３、図４に示される形状に限られるものではなく、用途に応じた形状であってよい。例えば、鼻などの立体形状に対応した形状を有するマスク本体１１であってもよい。
【００６８】
また、マスク用フィルタ１、５には、事後的に活性炭粒子４や薬剤２が追加されて使用されても良い。マスク用フィルタ１、５、マスク１０以外に、活性炭粒子４や薬剤２が、別途販売されて、使用者の便益に供されることも好適である。
【産業上の利用可能性】
【００６９】
本発明は、例えば、花粉症予防や感染症予防などに用いられる衛生用具の分野において好適に利用できる。
【図面の簡単な説明】
【００７０】
【図１】本発明の実施の形態におけるマスク用フィルタの正面図
【図２】本発明の実施の形態におけるマスク用フィルタの斜視図
【図３】本発明の実施の形態におけるマスクの正面図
【図４】本発明の実施の形態におけるマスクの正面図
【図５】マスクを装着した人物の斜視図
【図６】従来の技術のマスクの斜視図
【符号の説明】
【００７１】
１、５  マスク用フィルタ
２  薬剤
３  網目
４  活性炭粒子
６  外包材
７  網状生地
１０  マスク
１１  マスク本体
１２  装着バンド
１３  挿入ポケット
３０  マスク
３１  マスク本体
３２  活性炭シート
【図１】
2006320491.tif 000003
【図２】
2006320491.tif 000004
【図３】
2006320491.tif 000005
【図４】
2006320491.tif 000006
【図５】
2006320491.tif 000007
【図６】
2006320491.tif 000008